(57)【要約】ＭＰＶフォーマットによって記述されるマルチメディアデータの表示装置が提供されるが、前記表示装置は、ユーザが選択したアセットが、単一のオーディオデータと少なくとも１以上の静止画像データとで構成されるアセットである場合に前記オーディオデータを提供し、前記オーディオデータが提供される間に、所定の表示方法によって前記少なくとも１以上の静止画像データを順次に表示させる。
2006514806.tif 000002
【特許請求の範囲】
【請求項１】
ＭＰＶフォーマットによって記述されるマルチメディアデータの表示装置において、
ユーザが選択したアセットが、単一のオーディオデータと少なくとも１以上の静止画像データとで構成されるアセットである場合に前記オーディオデータを提供し、前記オーディオデータが提供される間に、所定の表示方法によって前記少なくとも１以上の静止画像データを順次に表示させるマルチメディアデータ表示装置。
【請求項２】
前記所定の表示方法は、前記オーディオデータが提供される間に前記それぞれの静止画像データが表示される時間を表す時間情報によって表示されることを含む請求項１に記載のマルチメディアデータ表示装置。
【請求項３】
前記時間情報が存在していない場合には、該当静止画像データを表示しないことをさらに含む請求項２に記載のマルチメディアデータ表示装置。
【請求項４】
ＭＰＶフォーマットによって記述されるマルチメディアデータの表示方法において、
ユーザが選択したアセットが、単一のオーディオデータと少なくとも１以上の静止画像データとで構成されるアセットであるかどうかを確認する第１段階と、
ユーザが選択したアセットが、単一のオーディオデータと少なくともオーディオ１以上の静止画像データとで構成されるアセットである場合には、前記オーディオデータと前記静止画像データとを提供するための参照情報を前記アセットから抽出する第２段階と、
前記参照情報を利用して前記オーディオデータを抽出して提供する第３段階と、
前記オーディオデータが提供される間に、所定の表示方法によって前記参照情報を利用して少なくとも１以上の前記静止画像データを抽出して順次に表示する第４段階と、を含むマルチメディアデータ表示方法。
【請求項５】
前記表示方法は、前記オーディオデータが提供される間に、前記それぞれの静止画像データが表示される時間を表す時間情報によって表示されることを含む請求項４に記載のマルチメディアデータ表示方法。
【請求項６】
前記時間情報が存在していない場合には、該当静止画像データを表示しないことをさらに含む請求項５に記載のマルチメディアデータ表示方法。
【請求項７】
ＭＰＶフォーマットによって記述されるマルチメディアデータの表示方法において、
ユーザが選択したアセットが、単一のオーディオデータに対する一部分で構成されるアセットであるかどうかを確認する第１段階と、
ユーザが選択したアセットが単一のオーディオデータに対する一部分で構成されるアセットである場合には、前記オーディオデータに対する一部分を提供するための参照情報を前記アセットから抽出する第２段階と、
前記参照情報を利用して所定の表示方法によって前記オーディオデータに対する一部分を提供する第３段階と、を含むマルチメディアデータ表示方法。
【請求項８】
前記所定の表示方法は、前記オーディオデータのうち提供される部分についての位置情報を利用するが、前記位置情報は、前記オーディオデータが再生される時間についての時間位置情報であることを含む請求項７に記載のマルチメディアデータ表示方法。
【請求項９】
前記時間位置情報は、前記オーディオデータのうち再生開始時点を表す時間情報であるか、前記オーディオデータのうち再生される時間を表す時間情報であるか、前記オーディオデータのうち再生終了時点を表す時間情報であるか、または前記時間情報の２つ以上の組合わせであることを含む請求項８に記載のマルチメディアデータ表示方法。
【請求項１０】
ＭＰＶフォーマットによって記述されるマルチメディアデータの表示方法において、
ユーザが選択したアセットが単一のビデオデータに対する一部分で構成されるアセットであるかどうかを確認する第１段階と、
ユーザが選択したアセットが単一のビデオデータに対する一部分で構成されるアセットである場合には、前記ビデオデータに対する一部分を提供するための参照情報を前記アセットから抽出する第２段階と、
前記参照情報を利用して、所定の表示方法によって前記ビデオデータに対する一部分を表示する第３段階とを含むマルチメディアデータ表示方法。
【請求項１１】
前記所定の表示方法は、前記ビデオデータのうち表示される部分についての位置情報を利用するが、前記位置情報は、前記ビデオデータが再生される時間についての時間位置情報であることを含む請求項１０に記載のマルチメディアデータ表示方法。
【請求項１２】
前記時間位置情報は、前記ビデオデータのうち表示され始める時点を表す時間情報であるか、前記ビデオデータのうち表示される時間を表す時間情報であるか、前記ビデオデータのうち表示が終了する時点を表す時間情報であるか、または前記時間情報の２つ以上の組合わせであることを含む請求項１１に記載のマルチメディアデータ表示方法。
【請求項１３】
ＭＰＶフォーマットによって記述されるマルチメディアデータの表示のためのプログラムが記録された記録媒体において、
前記プログラムは、ユーザが選択したアセットが、単一のオーディオデータと少なくとも１以上の静止画像データとで構成されるアセットであるかどうかを確認し、ユーザが選択したアセットが、単一のオーディオデータと少なくとも１以上の静止画像データとで構成されるアセットである場合には、前記オーディオデータと前記静止画像データとを提供するための参照情報を前記アセットから抽出し、前記参照情報を利用して前記オーディオデータを抽出して提供した後、前記オーディオデータが提供される間に、所定の表示方法によって前記参照情報を利用して少なくとも１以上の前記静止画像データを抽出して順次に表示させるが、前記所定の表示方法は、前記オーディオデータが提供される間に、前記それぞれの静止画像データが表示される時間を表す時間情報によって表示させることを特徴とする記録媒体。
【請求項１４】
ＭＰＶフォーマットによって記述されるマルチメディアデータの表示のためのプログラムが記録された記録媒体において、
前記プログラムは、ユーザが選択したアセットが、単一のオーディオデータに対する一部分で構成されるアセットであるかどうかを確認し、ユーザが選択したアセットが、単一のオーディオデータに対する一部分で構成されるアセットである場合には、前記オーディオデータに対する一部分を提供するための参照情報を前記アセットから抽出し、前記参照情報を利用して所定の表示方法によって前記オーディオデータに対する一部分を提供するが、前記所定の表示方法は、前記オーディオデータのうち提供される部分についての位置情報を利用して表示させることを特徴とする記録媒体。
【請求項１５】
ＭＰＶフォーマットによって記述されるマルチメディアデータの表示のためのプログラムが記録された記録媒体において、
前記プログラムは、ユーザが選択したアセットが、単一のビデオデータに対する一部分で構成されるアセットであるかどうかを確認し、ユーザが選択したアセットが、単一のビデオデータに対する一部分で構成されるアセットである場合には、前記ビデオデータに対する一部分を提供するための参照情報を前記アセットから抽出し、前記参照情報を利用して所定の表示方法によって前記ビデオデータに対する一部分を表示するが、前記所定の表示方法は、前記ビデオデータのうち表示される部分についての位置情報を利用して表示させることを特徴とする記録媒体。
【発明の詳細な説明】
【技術分野】
【０００１】
本発明は、マルチメディアデータの提供装置及びその提供方法並びにその方法を記録した記録媒体に関し、より詳しくは、多様な形態のマルチメディアデータをＡＶ機器向けのＣＤ／ＤＶＤ記録規格であるＭＰＶ（ミュージックフォトビデオ）フォーマットの形態で管理し、これをユーザに提供するものに関する。
【０００２】
ＭＰＶは、光記憶装置メーカが結成した標準化団体であるＯＳＴＡ（Optical  Storage  Technology  Association）が開発して２００２年１１月に発表したマルチメディアタイトルの業界標準規格であって、ＣＤやＤＶＤに収録された多様な形態の音楽、画像、ビデオなどのコンテンツをより便利に楽しむように、ユーザに提供したり、マルチメディアデータを操作して処理できるようにするための規格である。ＭＰＶに関する定義及びその他の標準規格は、ＯＳＴＡ公式ウェブサイトを通じて提供され利用できる。
【背景技術】
【０００３】
既存に存在する多様なオーディオ、ビデオ、イメージファイルなどを実行するためには、各々に対するアプリケーションプログラムが必要であり、異なる形態のマルチメディアデータファイルを実行するアプリケーションプログラムが存在してはいるが、これは、制限的な範囲内のマルチメディアデータファイルにのみ適用されているので、より多様なマルチメディアデータ間の互換を維持しつつ、ユーザがマルチメディアデータを実行できるには限界がある。
【０００４】
これに対し、ＭＰＶは、ユーザの意図通り、記憶媒体に記録された各種マルチメディアデータが再生されるように、ＸＭＬ（eXtensible  Markup  Language）メタデータを利用して多様なファイル連結を管理するなどの機能を支援し、特に、ＪＰＥＧ、ＭＰ３、ＷＭＡ、ＷＭＶ、ＭＰＥＧ-１、ＭＰＥＧ-２、ＭＰＥＧ-４を支援し、デジタルカメラフォーマットであるＡＶＩ及びクイックタイムＭＪＰＥＧビデオを支援し、ＭＰＶ規格ディスクは、ＩＳＯ９６６０レベル１及びＪｏｌｉｅｔと互換性があり、マルチセッションＣＤ、ＤＶＤ、メモリカード、ハードディスク及びインターネットとも互換されることによって、ユーザがより多様なマルチメディアデータを管理し処理できる。しかし、ＭＰＶフォーマットに関する標準において、標準で定義されていないマルチメディアデータの形態（以下、アセットという）を示すより多様なエレメントが必要となり、多様なマルチメディアデータをユーザに提供する方法においても、マルチメディアデータの多様な表示機能の追加が要求されている。
【発明の開示】
【発明が解決しようとする課題】
【０００５】
本発明では、現在、ＭＰＶフォーマットが提案している多様な形態のマルチメディアエレメントに加えて、新しいマルチメディアデータに関するエレメントを提案し、また、より多様にＭＰＶフォーマットのマルチメディアデータをユーザに提供する方法を提案することによって、ＭＰＶフォーマットの活用をより一層多様にしようとする。
【課題を解決するための手段】
【０００６】
前記の目的を達成するために本発明の実施によって、ＭＰＶフォーマットによって記述されるマルチメディアデータの表示装置が提供されるが、前記表示装置は、ユーザが選択したアセットが、単一のオーディオデータと少なくとも１以上の静止画像データとで構成されるアセットである場合に前記オーディオデータを提供し、前記オーディオデータが提供される間に、所定の表示方法によって前記少なくとも１以上の静止画像データを順次に表示させる。望ましくは、前記所定の表示方法は、前記オーディオデータが提供される間に前記それぞれの静止画像データが表示される時間を表す時間情報によって表示されることを含む。望ましくは、前記時間情報が存在していない場合には、該当静止画像データを表示しないことをさらに含む。
【０００７】
また、前記の目的を達成するために、ＭＰＶフォーマットによって記述されるマルチメディアデータの表示方法が提供されるが、前記表示方法は、ユーザが選択したアセットが、単一のオーディオデータと少なくとも１以上の静止画像データとで構成されるアセットであるかどうかを確認する第１段階と、ユーザが選択したアセットが、単一のオーディオデータと少なくともオーディオ１以上の静止画像データとで構成されるアセットである場合には、前記オーディオデータと前記静止画像データとを提供するための参照情報を前記アセットから抽出する第２段階と、前記参照情報を利用して前記オーディオデータを抽出して提供する第３段階と、前記オーディオデータが提供される間に、所定の表示方法によって前記参照情報を利用して少なくとも１以上の前記静止画像データを抽出して順次に表示する第４段階とを含む。望ましくは、前記表示方法は、前記オーディオデータが提供される間に、前記それぞれの静止画像データが表示される時間を表す時間情報によって表示されることを含む。望ましくは、前記時間情報が存在していない場合には、該当静止画像データを表示しないことをさらに含む。
【０００８】
また、前記の目的を達成するために、ＭＰＶフォーマットによって記述されるマルチメディアデータのさらに他の表示方法が提供されるが、前記表示方法は、ユーザが選択したアセットが、単一のオーディオデータに対する一部分で構成されるアセットであるかどうかを確認する第１段階と、ユーザが選択したアセットが単一のオーディオデータに対する一部分で構成されるアセットである場合には、前記オーディオデータに対する一部分を提供するための参照情報を前記アセットから抽出する第２段階と、前記参照情報を利用して所定の表示方法によって前記オーディオデータに対する一部分を提供する第３段階と、を含む。望ましくは、前記所定の表示方法は、前記オーディオデータのうち提供される部分についての位置情報を利用するが、前記位置情報は、前記オーディオデータが再生される時間についての時間位置情報であることを含む。望ましくは、前記時間位置情報は、前記オーディオデータのうち再生開始時点を表す時間情報であるか、前記オーディオデータのうち再生される時間を表す時間情報であるか、前記オーディオデータのうち再生終了時点を表す時間情報であるか、または前記時間情報の２つ以上の組合わせであることを含む。
【０００９】
また、前記の目的を達成するために、ＭＰＶフォーマットによって記述されるマルチメディアデータのさらに他の表示方法が提供されるが、前記表示方法は、ユーザが選択したアセットが単一のビデオデータに対する一部分で構成されるアセットであるかどうかを確認する第１段階と、ユーザが選択したアセットが単一のビデオデータに対する一部分で構成されるアセットである場合には、前記ビデオデータに対する一部分を提供するための参照情報を前記アセットから抽出する第２段階と、前記参照情報を利用して、所定の表示方法によって前記ビデオデータに対する一部分を表示する第３段階とを含む。望ましくは、前記所定の表示方法は、前記ビデオデータのうち表示される部分についての位置情報を利用するが、前記位置情報は、前記ビデオデータが再生される時間についての時間位置情報であることを含む。望ましくは、前記時間位置情報は、前記ビデオデータのうち表示され始める時点を表す時間情報であるか、前記ビデオデータのうち表示される時間を表す時間情報であるか、前記ビデオデータのうち表示が終了する時点を表す時間情報であるか、または前記時間情報の２つ以上の組合わせであることを含む。
【００１０】
また、前記の目的を達成するために、ＭＰＶフォーマットによって記述されるマルチメディアデータの表示のためのプログラムが記録された記録媒体が提供されるが、前記プログラムは、ユーザが選択したアセットが、単一のオーディオデータと少なくとも１以上の静止画像データとで構成されるアセットであるかどうかを確認し、ユーザが選択したアセットが、単一のオーディオデータと少なくとも１以上の静止画像データとで構成されるアセットである場合には、前記オーディオデータと前記静止画像データとを提供するための参照情報を前記アセットから抽出し、前記参照情報を利用して前記オーディオデータを抽出して提供した後、前記オーディオデータが提供される間に、所定の表示方法によって前記参照情報を利用して少なくとも１以上の前記静止画像データを抽出して順次に表示させるが、前記所定の表示方法は、前記オーディオデータが提供される間に、前記それぞれの静止画像データが表示される時間を表す時間情報によって表示させることを特徴とする。
【００１１】
本発明のさらに他の実施例によって、ＭＰＶフォーマットによって記述されるマルチメディアデータの表示のためのプログラムが記録された記録媒体が提供されるが、前記プログラムは、ユーザが選択したアセットが、単一のオーディオデータに対する一部分で構成されるアセットであるかどうかを確認し、ユーザが選択したアセットが、単一のオーディオデータに対する一部分で構成されるアセットである場合には、前記オーディオデータに対する一部分を提供するための参照情報を前記アセットから抽出し、前記参照情報を利用して所定の表示方法によって前記オーディオデータに対する一部分を提供するが、前記所定の表示方法は、前記オーディオデータのうち提供される部分についての位置情報を利用して表示させることを特徴とする。
【００１２】
本発明のさらに他の実施例によって、ＭＰＶフォーマットによって記述されるマルチメディアデータの表示のためのプログラムが記録された記録媒体が提供されるが、前記プログラムは、ユーザが選択したアセットが、単一のビデオデータに対する一部分で構成されるアセットであるかどうかを確認し、ユーザが選択したアセットが、単一のビデオデータに対する一部分で構成されるアセットである場合には、前記ビデオデータに対する一部分を提供するための参照情報を前記アセットから抽出し、前記参照情報を利用して所定の表示方法によって前記ビデオデータに対する一部分を表示するが、前記所定の表示方法は、前記ビデオデータのうち表示される部分についての位置情報を利用して表示させることを特徴とする。
【発明を実施するための最良の形態】
【００１３】
以下、添付の図面を参照して本発明の一実施例によるＭＰＶフォーマットを用いたマルチメディアデータの提供装置及びその提供方法を説明する。
【００１４】
一方、本発明では、ＭＰＶフォーマットに対応したマルチメディアデータを提供するために、ＸＭＬを利用しており、以下、ＸＭＬ-スキーマによって記述する。
【００１５】
本発明では、ＯＳＴＡで提案しない‘ＡｕｄｉｏＷｉｔｈＳｔｉｌｌ’、‘ＡｕｄｉｏＰａｒｔ’、‘ＶｉｄｅｏＰａｒｔ’、‘ＡｕｄｉｏＷｉｔｈＳｔｉｌｓＲｅｆ’、‘ＡｕｄｉｏＰａｒｔＲｅｆ’、‘ＶｉｄｅｏＰａｒｔＲｅｆ’のような６つの新しいエレメントを提示することによって、より多様なマルチメディアデータを提供している。
【００１６】
以下では、これら６つの新しいエレメントに関する定義と使用例について説明する。
【００１７】
１．‘ＡｕｄｉｏＷｉｔｈＳｔｉｌｌ’エレメント
‘ＡｕｄｉｏＷｉｔｈＳｔｉｌｌ’エレメントは、単一のオーディオアセット（audio  asset）と１つ以上のスチールアセット（still  assets）とを結合した形態のエレメントであって、このスチールアセットは、一般的にスクリーン解像度のイメージファイルを利用する。前記‘ＡｕｄｉｏＷｉｔｈＳｔｉｌｌ’エレメントをＸＭＬ-スキーマによって定義すると次の通りである。
（１）element  mpv：AudioWithStill,complexType  mpv：AudioWithStillType
（２）namespace http://samsung.co.kr/digitalmediaRd/avstation2
（３）type  SMPV：AudioWithStillType
（４）children
mpv:ContentID,mpv:DocumentID,mpv:InstanceID,mpv:Metadata,
nmf:Metadata,mpv:StillRef,mpv:AudioRef,SMPV:DisplayTime,
mpv:Related,mpv:Rendition
（５）attributes
Name  Type  Use  Default  Fixed
mpv:id  xs:ID
（６）
source<xs:element  name=“AudioWithStill”type=“SMPV:AudioWithStillType”substitutionGroup=“mpv:CompositeAssetBase”/>
source<xs:complexType name=“AudioWithStillType”>
<xs:complexContent>
<xs:extension  base=“mpv:CompositeAssetBaseType”>
<xs:sequence>
<xs:element  ref=“mpv:StillRef”maxOccurs=“unbounded”/>
<xs:element  ref=“mpv:AudioRef”/>
<xs:element  name=“DisplaySchema”type=“xs:string”minOccurs=“0”/>
<xs:group ref=“mpv:RelationsElemGroup”/>
</xs:sequence>
</xs:extension>
</xs:complexContent>
</xs:complexType>
前記‘ＤｉｓｐｌａｙＴｉｍｅ’エレメントの属性値は、‘秒（second）’単位でそれぞれのスチールアセットを表示する時間を示す。‘ＤｉｓｐｌａｙＴｉｍｅ’エレメントの属性値には、常に相対的な時間値が入るが、少数点単位でも表すことができる。もし、‘ＤｉｓｐｌａｙＴｉｍｅ’属性値が指定されないと、表示時間はないこととする。‘ＤｉｓｐｌａｙＴｉｍｅ’エレメントに関する定義を整理すると次の通りである。
【００１８】
DisplayTime=<clock-value>(“;”<clock-value>)*
clock-value=(<seconds>|<unknown-dur>)
unknown-dur=the  empty  string
seconds=<decimalnumber>(“.”<decimal  number>)?
decimal-number=[0-9][0-9]*
前記‘ＤｉｓｐｌａｙＴｉｍｅ’エレメントの使用例を見れば、‘ＤｉｓｐｌａｙＴｉｍｅ’属性値が“３”である場合には、３秒間スチールアセットを表示することを意味し、‘ＤｉｓｐｌａｙＴｉｍｅ’属性値が“３；５”ある場合には、１番目のスチールアセットは３秒間、２番目のスチールアセットは５秒間表示することを意味する。一方、‘ＤｉｓｐｌａｙＴｉｍｅ’属性値が“３．５；６；２．７”である場合には、１番目スチールアセットは３．５秒間、２番目のスチールアセットは６秒間、３番目のスチールアセットは２．７秒間表示することを意味する。
【００１９】
２．‘ＡｕｄｉｏＰａｒｔ’エレメント
‘ＡｕｄｉｏＰａｒｔ’エレメントは、オーディオアセットの一部分を示す。前記‘ＡｕｄｉｏＰａｒｔ’エレメントをＸＭＬ-スキーマによって定義すると次の通りである。
（１）namespace  http://samsung.co.kr/digitalmediaRd/avstation2
（２）type  SMPV:AssetPartBaseType
（３）children
mpv:Metadata,nmf:Metadata,SMPV:start,SMPV:stop,SMPV:dur,mpv:AudioRef
（４）attributes
Name                    Type              UseDefault          Fixed
manifestLinkIDRef      xs:NCName          optional
listIDRef              xs:NCName          optional
mpv:id                
xs:ID
idRef                  xs:NCName          required
<xs:complexType name=“AudioPart”>
<xs:complexContent>
<xs:sequence>
<xs:element  ref=“mpv:Metadata”minOccurs=“0”/>
<xs:element  ref=“nmf:Metadata”minOccurs=“0”/>
<xs:element  ref=“SMPV:start”minOccurs=“0”/>
<xs:element  ref=“SMPV:stop”minOccurs=“0”/>
<xs:element  ref=“SMPV:dur”minOccurs=“0”/>
<xs:element  ref=“mpv:AudioRef”minOccurs=“1”/>
</xs:sequence>
</xs:complexContent>
</xs:complexType>
前記‘ＡｕｄｉｏＰａｒｔ’エレメントの属性を示す‘ｍａｎｉｆｅｓｔＬｉｎｋＩＤＲｅｆ’は、参照されるアセットを含む‘ＭａｎｉｆｅｓｔＬｉｎｋ’アセットのＩＤ（ｍｐｖ：ｉｄ）値を提供する。もし、前記‘ｍａｎｉｆｅｓｔＬｉｎｋＩＤＲｅｆ’が存在しなければ、現在の定義目録（前記定義目録は、‘ＯＳＴＡ  ＸＭＬ  ＭＡＮＩＦＥＳＴ’を意味する）が使われる。
【００２０】
一方、‘ｌｉｓｔＩＤＲｅｆ’は、参照されるアセットを含む‘ＡｓｓｅｔＬｉｓｔ’または‘ＭａｒｋＬｉｓｔ’のＩＤ（ｍｐｖ：ｉｄ）値を提供する。もし、前記‘ｌｉｓｔＩＤＲｅｆ’が存在しなければ、同じ定義目録にある‘ＡｓｓｅｔＬｉｓｔ’が使われる。
【００２１】
また、‘ｉｄＲｅｆ’は、参照されるアセットのＩＤ（ｍｐｖ：ｉｄ）値を提供するが、もし、前記‘ｌｉｓｔＩＤＲｅｆ’がなければ、現在の定義目録にある‘ＡｓｓｅｔＬｉｓｔ’が使われる。もし、前記‘ｍａｎｉｆｅｓｔＬｉｎｋＩＤＲｅｆ’がなければ、現在の定義目録が使われる。
【００２２】
一方、前記‘ＡｕｄｉｏＰａｒｔ’エレメントの下位エレメントとして、‘ＳＭＰＶ：ｓｔａｒｔ’、‘ＳＭＰＶ：ｓｔｏｐ’、‘ＳＭＰＶ：ｄｕｒ’を定義しているが、前記３つの下位エレメントのうち少なくとも１つ以上は、必ずその属性値が指定されなければならない。
【００２３】
‘ＳＭＰＶ：ｓｔａｒｔ’エレメントは、＜ｘｓ：ｅｌｅｍｅｎｔ  ｎａｍｅ＝“ＳＭＰＶ：ｓｔａｒｔ”ｔｙｐｅ＝“ｘｓ：ｌｏｎｇ”ｍｉｎＯｃｃｕｒｓ＝“０”／＞のように定義されることができるが、参照されるオーディオアセットの全体時間中の一部分に対して始める地点を‘秒’単位で示す。もし、どんな値も与えられないと、開始時間は、‘ＳＭＰＶ：ｓｔｏｐ’、‘ＳＭＰＶ：ｄｕｒ’の属性値を基礎にして［ＳＭＰＶ：ｓｔａｒｔ］＝［ＳＭＰＶ：ｓｔｏｐ］-［ＳＭＰＶ：ｄｕｒ］のように計算される。‘ＳＭＰＶ：ｓｔｏｐ’または‘ＳＭＰＶ：ｄｕｒ’の属性値が指定されないと、‘ＳＭＰＶ：ｓｔａｒｔ’の属性値は０になる。
【００２４】
‘ＳＭＰＶ：ｓｔｏｐ’エレメントは、＜ｘｓ：ｅｌｅｍｅｎｔ  ｎａｍｅ＝“ＳＭＰＶ：ｓｔｏｐ”ｔｙｐｅ＝“ｘｓ：ｌｏｎｇ”ｍｉｎＯｃｃｕｒｓ＝“０”／＞のように定義されることができるが、参照されるオーディオアセットの全体時間中の一部分に対して終わる地点を‘秒’単位で示す。もし、どんな値も与えられないと、終了時間は、‘ＳＭＰＶ：ｓｔａｒｔ’、‘ＳＭＰＶ：ｄｕｒ’の属性値を基礎にして［ＳＭＰＶ：ｓｔｏｐ］＝［ＳＭＰＶ：ｓｔａｒｔ］＋［ＳＭＰＶ：ｄｕｒ］のように計算される。‘ＳＭＰＶ：ｄｕｒ’の属性値が指定されずに、‘ＳＭＰＶ：ｓｔａｒｔ’の属性値が指定されれば、‘ＳＭＰＶ：ｓｔｏｐ’の属性値は、参照されるアセットの終了時間になる。反面、‘ＳＭＰＶ：ｓｔａｒｔ’の属性値が指定されずに、‘ＳＭＰＶ：ｄｕｒ’の属性値が指定されれば、‘ＳＭＰＶ：ｓｔｏｐ’の属性値は、‘ＳＭＰＶ：ｄｕｒ’の値になる。
【００２５】
‘ＳＭＰＶ：ｄｕｒ’エレメントは、＜ｘｓ：ｅｌｅｍｅｎｔ  ｎａｍｅ＝“ＳＭＰＶ：ｄｕｒ”ｔｙｐｅ＝“ｘｓ：ｌｏｎｇ”ｍｉｎＯｃｃｕｒｓ＝“０”／＞のように定義されることができるが、参照されるオーディオアセットの全体時間中の一部分に対する時間を示す。もし、‘ＳＭＰＶ：ｄｕｒ’の属性値が与えられないと、‘［ＳＭＰＶ：ｄｕｒ］＝［ＳＭＰＶ：ｓｔｏｐ］-［ＳＭＰＶ：ｓｔａｒｔ］’のような方法で計算できる。もし、‘ＳＭＰＶ：ｓｔｏｐ’または‘ＳＭＰＶ：ｄｕｒ’の属性値が指定されないと、‘ＳＭＰＶ：ｄｕｒ’の値は定義されない。
【００２６】
３．‘ＶｉｄｅｏＰａｒｔ’エレメント
‘ＶｉｄｅｏＰａｒｔ’エレメントは、ビデオアセットの一部分を示す。前記‘ＶｉｄｅｏＰａｒｔ’エレメントをＸＭＬ-スキーマによって定義すると次の通りである。
（１）namespace http://samsung.co.kr/digitalmediaRd/avstation2
（２）type SMPV:AssetPartBaseType
（３）children
mpv:Metadata,nmf:Metadata,SMPV:start,SMPV:stop,SMPV:dur,mpv:VideoRef
（４）attributes
Name                  Type            Use            Default      Fixed
manifestLinkIDRef    
xs:NCName       optional
listIDRef            
xs:NCName       optional
mpv:id                xs:ID
idRef                 xs:NCName      
required
xs:complexType name=“VideoPart”>
<xs:complexContent>
<xs:sequence>
<xs:element  ref=“mpv:Metadata”minOccurs=“0”/>
<xs:element  ref=“nmf:Metadata”minOccurs=“0”/>
<xs:element  ref=“SMPV:start”minOccurs=“0”/>
<xs:element  ref=“SMPV:stop”minOccurs=“0”/>
<xs:element  ref=“SMPV:dur”minOccurs=“0”/>
<xs:element  ref=“mpv:VideoRef”minOccurs=“1”/>
</xs:sequence>
</xs:complexContent>
</xs:complexType>
４.‘ＡｕｄｉｏＷｉｔｈＳｔｉｌｓＲｅｆ’エレメント
‘ＡｕｄｉｏＷｉｔｈＳｔｉｌｓＲｅｆ’エレメントは、‘ＡｕｄｉｏＷｉｔｈＳｔｉｌｌ’エレメントを参照するが、前記‘ＡｕｄｉｏＷｉｔｈＳｔｉｌｓＲｅｆ’エレメントをＸＭＬ-スキーマによって定義すると次の通りである。
（１）Attributes
Name                  Type            Use          Default      Fixed
manifestLinkIDRef      xs:NCName      optional
listIDRef              xs:NCName      optional
mpv:id                 xs:ID
idRef                  xs:NCName      required
５.‘ＡｕｄｉｏＰａｒｔＲｅｆ’エレメント
‘ＡｕｄｉｏＰａｒｔＲｅｆ’エレメントは‘ＡｕｄｉｏＰａｒｔ’エレメントを参照するが、前記‘ＡｕｄｉｏＰａｒｔＲｅｆ’エレメントをＸＭＬ-スキーマによって定義すると次の通りである。
（１）Attributes
Name                  Type            Use            Default      Fixed
manifestLinkIDRef      xs:NCName      optional
listIDRef              xs:NCName      optional
mpv:id                 xs:ID
idRef                  xs:NCName      required
前記‘ＡｕｄｉｏＰａｒｔＲｅｆ’エレメントの属性を示す‘ｍａｎｉｆｅｓｔＬｉｎｋＩＤＲｅｆ’は、参照されるアセットを含む‘ＭａｎｉｆｅｓｔＬｉｎｋ’アセットのＩＤ（ｍｐｖ：ｉｄ）値を提供する。もし、前記‘ｍａｎｉｆｅｓｔＬｉｎｋＩＤＲｅｆ’が存在しなければ、現在の定義目録（前記定義目録は、‘ＯＳＴＡ  ＸＭＬ  ＭＡＮＩＦＥＳＴ’を意味する）が使われる。
【００２７】
一方、‘ｌｉｓｔＩＤＲｅｆ’は、参照されるアセットを含む‘ＡｓｓｅｔＬｉｓｔ’または‘ＭａｒｋＬｉｓｔ’のＩＤ（ｍｐｖ：ｉｄ）値を提供する。もし、前記‘ｌｉｓｔＩＤＲｅｆ’が存在しなければ、同じ定義目録にある。‘ＡｓｓｅｔＬｉｓｔ’が使われる。
【００２８】
また、‘ｉｄＲｅｆ’は、参照されるアセットのＩＤ（ｍｐｖ：ｉｄ）値を提供するが、もし、前記‘ｌｉｓｔＩＤＲｅｆ’がなければ、現在の定義目録にある‘ＡｓｓｅｔＬｉｓｔ’が使われる。もし、前記‘ｍａｎｉｆｅｓｔＬｉｎｋＩＤＲｅｆ’がなければ、現在の定義目録が使われる。
【００２９】
６.‘ＶｉｄｅｏＰａｒｔＲｅｆ’エレメント
‘ＶｉｄｅｏＰａｒｔＲｅｆ’エレメントは、‘ＶｉｄｅｏＰａｒｔ’エレメントを参照するが、前記‘ＶｉｄｅｏＰａｒｔＲｅｆ’エレメントをＸＭＬ-スキーマによって定義すると次の通りである。
（１）Attributes
Name                  Type          Use          Default      Fixed
manifestLinkIDRef    
xs:NCName     optional
listIDRef            
xs:NCName     optional
mpv:id                xs:ID
idRef                 xs:NCName    
required
上述のように提示した新しいエレメントを用いてユーザにマルチメディアデータを提供するための方法をＸＭＬで表せば、次の通りである。便宜上、前記６つのエレメントの中で‘ＡｕｄｉｏＰａｒｔ’エレメントを例に取る。
【００３０】
例）
０１−<mpv:Audio  mpv:id=”ID000100”>
０２−<mpv:LastURL>music.mp3</mpv:LastURL>
０３−</mpv:Audio>
０４−<SMPV:AudioPart  mpv:id=”ID0001001”>
０５−<mpv:AudioRef  mpv:idRef=”ID000100”/>
０６−<SMPV:start>2</SMPV:start> 
０７−<SMPV:stop>7</SMPV:stop>
０８−</SMPV:AudioPart>
０９−<SMPV:AudioPart  mpv:id=”ID0001002”>
１０−<mpv:AudioRef  mpv:idRef=”ID000100”/>
１１−<SMPV:start>2</SMPV:start> 
１２−<SMPV:dur>5</SMPV:dur>
１３−</SMPV:AudioPart>
１４−<SMPV:AudioPart  mpv:id=”ID0001002”>
１５−<mpv:AudioRef  mpv:idRef=”ID000100”/>
１６−<SMPV:stop>7</SMPV:stop> 
１７−<SMPV:dur>5</SMPV:dur>
１８−</SMPV:AudioPart>
前記例の‘０１’ないし‘０３’は、ＭＰＶフォーマット標準で提案している‘Ａｕｄｉｏ’アセットのＩＤ（ｉｄ）を‘ＩＤ０００１００’に設定し、実際‘Ａｕｄｉｏ’アセットに該当するオーディオファイルは、‘ｍｕｓｉｃ．ｍｐ３’に設定していることを表している。
【００３１】
また、前記例の‘０４’ないし‘０８’は、本発明による‘ＡｕｄｉｏＰａｒｔ’アセットのＩＤ（ｉｄ）を‘ＩＤ０００１００１’に設定し、参照される‘Ａｕｄｉｏ’アセットを、ＩＤが‘ＩＤ０００１００’である前記‘ｍｕｓｉｃ．ｍｐ３’に設定していることを表しているが、この時、前記‘ｍｕｓｉｃ．ｍｐ３’が実行される全体長さにおいて曲の開始点を基準にして２秒から７秒までのみを実行されるようにしていることを表している。
【００３２】
また、前記例の‘０９’ないし‘１３’は、本発明による‘ＡｕｄｉｏＰａｒｔ’アセットのＩＤ（ｉｄ）を‘ＩＤ０００１００２’に設定し、参照される‘Ａｕｄｉｏ’アセットを、ＩＤが‘ＩＤ０００１００’である前記‘ｍｕｓｉｃ．ｍｐ３’に設定していることを表しているが、この時、前記‘ｍｕｓｉｃ．ｍｐ３’が実行される全体長さにおいて曲の開始点を基準にして２秒となる部分から始めて５秒間実行されるようにしていることを表している。
【００３３】
また、前記例の‘１４’ないし‘１８’は、本発明による‘ＡｕｄｉｏＰａｒｔ’アセットのＩＤ（ｉｄ）を‘ＩＤ０００１００２’に設定し、参照される‘Ａｕｄｉｏ’アセットをＩＤが‘ＩＤ０００１００’である前記‘ｍｕｓｉｃ．ｍｐ３’に設定していることを表しているが、この時、前記‘ｍｕｓｉｃ．ｍｐ３’が実行される全体長さにおいて曲の開始点を基準にして７秒となる部分で終わり、終わる前の５秒間、すなわち結果的に２秒から７秒まで実行されるようにしていることを表している。
【００３４】
図１は、本発明によるマルチメディアデータの提供装置１００のブロック構成図を示す例示図であって、ユーザにより分類されたＭＰＶフォーマットに対応した複数のマルチメディアデータのうちユーザが選択した単一のマルチメディアデータを表示する第１の表示モードと、前記分類された複数のマルチメディアデータを順次に表示（以下、トランジションという）する第２の表示モードとを選択的に提供する表示部１１０と、前記表示モードを選択するためのユーザ入力部１３０と、前記ユーザ入力部から入力された制御情報に対応する表示モードを前記表示部に伝達する制御部１２０とから構成される。この際、ユーザ入力１４０により第１の表示モードが選択された場合、表示されたマルチメディアデータ、例えばイメージデータを拡大、縮小したり、回転することができる機能を提供し、第２の表示モードが選択された場合には、複数のマルチメディアデータがユーザにより選択されたデータトランジション時間およびデータ表示時間によって順次にトランジションすることができる機能を提供する。一方、ＭＰＶフォーマットに対応したマルチメディアデータは、ＸＭＬ文書の形態で記述されて表すことができるが、ＸＭＬ文書に適用されるスタイルシートによって複数のアプリケーション文書に変換できる。本発明では、ＸＭＬ文書をＨＴＭＬ文書に変換するスタイルシートを適用して、ブラウザーを通じてユーザがマルチメディアデータを管理できるようにしているが、この他にも、ＷＭＬ、ｃＨＴＭＬ（コンパクトＨＴＭＬ）文書に変換するスタイルシートを適用して、ＰＤＡ、セルラーホーン、スマートホーンなどのようなモバイル端末機を介してユーザがＭＰＶフォーマットに対応したマルチメディアデータに対する接近が可能である。
【００３５】
図２は、本発明によるマルチメディアデータの提供方法により具現されたアプリケーションプログラムの一実施例を示している。図２に示されたアプリケーションプログラム２００は、プレゼンテーション領域２１０、制御領域２２０及びサムネイル領域２３０に分けられることができる。前記サムネイル領域２３０は、予めユーザにより分類されたマルチメディアデータを提供し、前記プレゼンテーション領域２１０は、前記サムネイル領域でユーザにより選択されたマルチメディアデータをスクリーンイメージ形態で拡大して示したり、前記サムネイル領域で表示されたマルチメディアデータを順次にスライド形態でユーザに示す。前記制御領域２２０は、前記プレゼンテーション領域２１０で表示されるマルチメディアデータの画面制御、例えば、複数のイメージデータを連続的に示す場合、その実行を一時中断させたり、１つのイメージデータから次のイメージデータにトランジションされる時間設定、又は、１つのイメージデータを示す時間設定などを行う。
【００３６】
図３は、本発明によるマルチメディアデータの提供方法により具現されたアプリケーションプログラムにおいて、プレゼンテーション領域３１０で複数のマルチメディアデータが順次に表示されている様子を示す一実施例である。制御領域３２０では、前記マルチメディアデータがトランジションされる時間および１つのマルチメディアデータが表示される時間をユーザの入力により設定できる機能を具備している。図３では、前記トランジションされる時間を‘Ｔｒａｎｓｉｔｉｏｎ  ｄｕｒａｔｉｏｎ’として２秒に設定し、前記表示される時間を‘Ｄｉｓｐｌａｙ  ｄｕｒａｔｉｏｎ’として２秒に設定している。一方、前記プレゼンテーション領域３１０では、順次に続くマルチメディアデータが前記プレゼンテーション領域３１０の右側下段部から部分的にトランジションされる様子を示しているが、このようなトランジション機能は、ＳＭＰＴＥで定義しているが、本発明では、ＭＰＶフォーマットのマルチメディアデータを、ＸＭＬメタデータを使用してトランジションする前記トランジション機能を提供している。
【００３７】
図４ないし図８は、多様な前記トランジション機能を例示したものである。図４は、マルチメディアデータが粉砕されながら次のマルチメディアデータが現れる様子を示しており、図５は、プレゼンテーション領域３１０の右側上段から次のマルチメディアデータが現れる様子を示しており、図６は、プレゼンテーション領域３１０の中央部から上下左右方向に次のマルチメディアデータが現れる様子を示しており、図7は、プレゼンテーション領域３１０からグリッド状でマルチメディアデータがトランジションされる様子を示しており、図8は、プレゼンテーション領域３１０の中央から両側に次のマルチメディアデータが現れる様子を示している。
【００３８】
図２ないし図8に示した本発明による実施例のような機能を具現するためのアルゴリズムを、それぞれのステップ別に示す。
【００３９】
ステップ１．ＳＭＰＶ文書の初期化
ステップ２．アセット客体に対するポインタ目録生成
ステップ３．サムネイルグリッド表示
ステップ４．ユーザ実行によってステップ５、ステップ６、ステップ７に分類
ステップ５．アルバムオプーン
ステップ６．スクリーンレンディション（screen  rendition）表示
ステップ６-１．‘オプション’表示
ステップ６-１-１．ズーム
ステップ６-１-２．回転
ステップ７．スライドショー開始
ステップ７-１．スライドショー表示制御
ステップ７-１-１．スライドショー一時停止
ステップ７-１-２．スライドショー終了
ステップ７-１-３．  スライドショー表示オプション
ステップ７-１-３-１．表示時間とトランジション時間設定
ステップ７-１-３-２．適用
ステップ７-１-３-３．クローズ
ステップ７-２．スライドショー表示
ステップ８．次のアセット表示
一方、下記の表１から表３は、前記アルゴリズムを具現するために使われた特別なクラスに対する関数名称、それぞれの関数機能を示す説明、前記それぞれの関数が使用された前記ステップを示している。
【００４０】
【表１】
2006514806.tif 000003
2006514806.tif 000004
2006514806.tif 000005
一方、図９は、前記それぞれのステップをフローチャートで示しているが、先ず、本発明による新しいエレメントを含むＭＰＶフォーマットで構成されたＳＭＰＶ文書を初期化（Ｓ９０１）した後、アセット客体に対するポインタの目録を生成する（Ｓ９０３）。サムネイルグリッドを表示（Ｓ９０５）した後、ユーザの実行を待つ（Ｓ９０７）。もし、ユーザが新しいアルバムを選択すれば、新しいアルバムをオプーンし（Ｓ９１１）、さらにＳＭＰＶ文書の初期化ステップを経るようになる（Ｓ９０１）。もし、ユーザがスクリーンレンディションを表示すれば（Ｓ９２１）、前記スクリーンレンディションを制御できる機能を提供するが（Ｓ９２３）、ユーザの実行によってズーム機能を実行したり（Ｓ９２９）、回転機能を実行する（Ｓ９２７）。または、次のアセットを表示することもできる（Ｓ９６３）。一方、ユーザがスライドショーを選択すれば、スライドショーが開始され（Ｓ９４１）、この際、スライドショーが実行されながら（Ｓ９４５）、スライドショーを制御できる機能を提供する（Ｓ９４３）。この際、ユーザは、スライドショーを一時的に停止したり（Ｓ９４９）、スライドショーを終了することもでき（Ｓ９６１）、‘オプション’メニューを選択し（Ｓ９５１）、トランジション時間と表示時間を変更（Ｓ９５３）して適用することによって（Ｓ９５９）、前記変更されたトランジション時間と表示時間によってスライドショーを実行することができる。
【００４１】
図１０は、前記ステップ３においてサムネイルグリッドを表示した後、ステップ４においてユーザの実行を待つまでの過程を具体的に示す実施例の処理フローチャートである。サムネイルグリッドを表示すれば（Ｓ１０１０）、アセット目録を要請し（Ｓ１０１５）、目録にある全てのアセットに対してアセットタイプを得る（Ｓ１０２０）。以後、前記アセットタイプを検査し（Ｓ１０２５）、アセットタイプによってサムネイルレンディションを表示したり（Ｓ１０３０）、文書アイコンを得たり（Ｓ１０３５）、アルバムアイコンを得たり（Ｓ１０４０）、サウンドアイコン（Ｓ１０４５）を得る。それから、ＨＴＭＬを生成し（Ｓ１０５０）、イベント処理者（ｅｖｅｎｔ  ｈａｎｄｌｅｒ）を登録（Ｓ１０５５）した後、ユーザの実行を待ち（Ｓ１０６０）、前記ステップＳ１０２０の過程を繰り返す。
【００４２】
図１１は、スライドショーを実行する過程を具体的に示す一実施例の処理フローチャートであり、アルバムにあるアセットを順次にユーザに提供するが、この際、各々のアセットは、次のアセットが現れる方法を規定しているトランジションに対してあらかじめ定義できる。まず、スライドショー目録を初期化（Ｓ１１１０）した後、利用可能なトランジション目録を示す‘ＭＳＴｒａｎｓｉｔｉｏｎｓ’、現在のトランジションＩＤを示す‘ＴｒａｎｓＩｎｄ’、アセット客体目録を示す‘ＡｒＡｌｂｕｍＩｔｅｍ’、アルバムにあるアセットに対するインデックスを示す‘ｉ’、トランジションされる間に所要される時間を示す‘ＴｒａｎｓＤｕｒ’、１つのアセットが表示される時間を示す‘ＤｉｓｐｌａｙＤｕｒａｔｉｏｎ’を設定する（Ｓ１１１５）。この際、‘ＭＳＴｒａｎｓｉｔｉｏｎｓ’と‘ＡｒＡｌｂｕｍＩｔｅｍ’は、データタイプがアレイのような構造を有する。前記変数が設定されれば、現在のアセットを得（Ｓ１１２０）、前記アセットが予め定義されたトランジションを有しているかを検査し（Ｓ１１２５）、もし、有していなければ、前記‘ＴｒａｎｓＩｎｄ’を媒介変数としてこれに対応するトランジション客体を得る（Ｓ１１３０）。それから、次のアセットのためトランジション客体を得るために、‘ＴｒａｎｓＩｎｄ’の値を１増加させ（Ｓ１１３５）、トランジション時間を前記‘ＴｒａｎｓＤｕｒ’と同様に設定（Ｓ１１４０）した後、トランジションを実行する（Ｓ１１７０）。一方、前記Ｓ１１２５ステップで、予め定義されたトランジションを有していれば、前記予め定義されたトランジションは、前記‘ＭＳＴｒａｎｓｉｔｉｏｎｓ’、‘ＴｒａｎｓＩｎｄ’、‘ＡｒＡｌｂｕｍＩｔｅｍ’、‘ＴｒａｎｓＤｕｒ’、‘ＤｉｓｐｌａｙＤｕｒａｔｉｏｎ’のような変数より高い優先順位を有する。多様なトランジション方法を有しているデータベースから捜し出して（Ｓ１１４５）、トランジションタイプまたはトランジションサブタイプをユーザに提供するトランジションタイプに変換される（Ｓ１１５０）。このように変換されたトランジションタイプを‘ＴｒａｎｓＴｙｐｅ’とする。また、予め定義されたトランジションは、トランジションされる時間に対する情報を含むことができるが、この値を‘ＴＤｕｒ’として（Ｓ１１５５）、トランジション客体を初期化し（Ｓ１１６０）、トランジションされる時間を前記‘ＴＤｕｒ’と同様に設定（Ｓ１１６５）した後、トランジションを実行する（Ｓ１１７０）。トランジションが実行された後、前記‘ｉ’を増加させ（Ｓ１１７５）、前記増加された‘ｉ’値が前記‘ＡｒＡｌｂｕｍＩｔｅｍ’の大きさ、すなわちスライドショーを提供しているアルバムに属する全体アセット客体の数よりも小さければ、前記アルバムに属する次の順序のアセットへ移動した後、前記ステップＳ７２０から繰り返すようになる（Ｓ１１８０、Ｓ１１８５、Ｓ１１２０）。しかし、もし、‘ｉ’値が、‘ＡｒＡｌｂｕｍＩｔｅｍ’の値と同じか大きければ、スライドショーは停止する（Ｓ１１９０）。
【産業上の利用可能性】
【００４３】
以上説明したように、本発明によると、多様なマルチメディアデータをユーザに提供することができ、新しい概念のマルチメディアデータを定義し、ユーザに提供されている形態を多様に具現することによって、ユーザは、より效率的に多様なマルチメディアデータを管理し処理することができる。
【００４４】
本発明は、本発明の技術的思想から逸脱することなく、他の種々の形態で実施することができる。前述の実施例は、あくまでも、本発明の技術内容を明らかにするものであって、そのような具体例のみに限定して狭義に解釈されるべきものではなく、本発明の精神と特許請求の範囲内で、いろいろと変更して実施することができるものである。
【図面の簡単な説明】
【００４５】
【図１】本発明によるマルチメディアデータの提供装置のブロック構成を示す例示図である。
【図２】本発明によるマルチメディアデータの提供方法により具現されたアプリケーションプログラムの構成を示す例示図である。
【図３】本発明によるマルチメディアデータの提供方法により具現されたアプリケーションプログラムにおいて、ユーザの機能設定によるマルチメディアデータの表示を示す例示図である。
【図４】本発明による多様なトランジションを示す例示図である。
【図５】本発明による多様なトランジションを示す例示図である。
【図６】本発明による多様なトランジションを示す例示図である。
【図７】本発明による多様なトランジションを示す例示図である。
【図８】本発明による多様なトランジションを示す例示図である。
【図９】本発明によるマルチメディアデータの提供方法を示す一実施例の処理フローチャートである。
【図１０】本発明によるサムネイルグリッドを表示した後、ユーザの実行を待つまでの過程を示す一実施例の処理フローチャートである。
【図１１】本発明によるスライドショーを実行する過程を示す一実施例の処理フローチャートである。
【図１】
2006514806.tif 000006
【図４】
2006514806.tif 000007
【図５】
2006514806.tif 000008
【図６】
2006514806.tif 000009
【図７】
2006514806.tif 000010
【図８】
2006514806.tif 000011
【図９】
2006514806.tif 000012
【図１０】
2006514806.tif 000013
【図１１】
2006514806.tif 000014
【図２】
2006514806.tif 000015
【図３】
2006514806.tif 000016
【国際調査報告】
2006514806.tif 000017